(57)【要約】【課題】  像担持体上に形成される静電潜像を最適に倍率補正して、常に倍率ずれがない画像を得ることである。【解決手段】  回転駆動するポリゴンミラー３３によりＬＤ６から出射されたレーザ光を主走査方向に偏向走査して副走査方向に回転駆動する感光体２１に静電潜像を光書込みする光走査装置２２に、ポリゴンミラー３３により偏向走査されたレーザ光を検出してその走査時間を測定するための光検出器３６を設け、ポリゴンミラー３３の安定回転を検知して、その安定回転中に光検出器３６により走査時間を測定し、測定した走査時間と所定の走査時間との時間差を求め、その時間差に基づいて静電潜像の主走査方向の倍率補正を行うようにした。【選択図】    図２
2006123181.tif 000002
【特許請求の範囲】
【請求項１】
回転駆動する偏向器により光源から出射された光を主走査方向に偏向走査して副走査方向に回転駆動する像担持体に静電潜像を光書込みする光走査装置において、
前記偏向器により偏向走査された光を検出して前記偏向器による光の走査時間を測定するための光検出器と、
前記偏向器の安定回転を検知する手段と、
前記偏向器の回転安定中に前記光検出器により前記走査時間を測定する手段と、
測定した前記走査時間と所定の前記走査時間との時間差を求め、その時間差に基づいて前記静電潜像の主走査方向の倍率補正を行う手段と、
を備えることを特徴とする光走査装置。
【請求項２】
前記偏向器は、前記光源からの光を反射してそれぞれ光を走査する複数の反射面を有する多面鏡であり、
前記走査時間を測定する手段は、前記偏向器の反射面毎に前記走査時間を測定し、
前記静電潜像の主走査方向の倍率補正を行う手段は、前記偏向器の反射面毎に前記時間差を求める、
ことを特徴とする請求項１記載の光走査装置。
【請求項３】
前記偏向器は、前記光源からの光を反射してそれぞれ光を走査する複数の反射面を有する多面鏡であり、
前記走査時間を測定する手段は、前記偏向器の反射面毎に前記走査時間を測定し、
前記静電潜像の主走査方向の倍率補正を行う手段は、前記偏向器の１回転毎に、測定した複数の前記走査時間からその平均値を求め、求めた前記走査時間の平均値と所定の前記走査時間との時間差を求める、
ことを特徴とする請求項１記載の光走査装置。
【請求項４】
前記静電潜像の主走査方向の倍率補正を行う手段は、前記偏向器の所定の回転回数毎に、測定した複数の前記走査時間からその平均値を求め、求めた前記走査時間の平均値と前記所定の走査時間との時間差を求める、
ことを特徴とする請求項１記載の光走査装置。
【請求項５】
電子写真方式で記録材上に画像形成を行なう画像形成装置において、
静電潜像を担持する像担持体と、
請求項１ないし４のいずれか一記載の光走査装置と、
を備えることを特徴とする画像形成装置。
【発明の詳細な説明】
【技術分野】
【０００１】
本発明は、光走査装置及び画像形成装置に関する。
【背景技術】
【０００２】
デジタル複写機やレーザプリンタ等の電子写真方式の画像形成装置では、ポリゴンミラー等の偏向器によりレーザ光（レーザビーム）を走査することで感光体等の像担持体上に静電潜像を形成するようにしている。このようなラスタ走査では、走査における同期が重要であり、特に各主走査間の同期がとれていないと、形成される画像の縦線にギザギザが生じてしまう。このような主走査方向への画素ドット位置のずれを防止することは、高精度な画像を得るため重要である。
【０００３】
そこで、特許文献１では、レーザ光の有効走査区間の両端にビーム検出器を配置し、それらのビーム検出器の間をレーザ光が走査する走査時間を測定（計測）し、その測定結果に基づいて有効走査区間内のドット位置を局部的に補正する技術が提案されている。その補正方法は、画素クロックより高周波のクロックを用いて画素クロック周期をダイナミックに増減する方法である。また、特許文献２では、特許文献１と同様の構成で、複数枚出力時の紙間に補正のセットアップを行うことが言及されている。
【０００４】
【特許文献１】特開２００３−２７９８７３公報
【特許文献２】特開２００３−１８５９５３公報
【発明の開示】
【発明が解決しようとする課題】
【０００５】
しかしながら、特許文献１のように、ある一定期間毎にレーザ光の走査時間を測定し、その測定結果に基づいて静電潜像の倍率補正を行うことを画像形成中に行った場合には、倍率補正の開始前後でドット位置がずれ、倍率ずれがある画像が形成されてしまう。また、特許文献２では、複数枚出力時の紙間で補正を行っているが、画像形成中に倍率補正ができないため、倍率ずれがある画像が形成されてしまう。すなわち、常にレーザ光の走査時間を測定し、その測定結果に基づいて静電潜像の倍率補正を行うことができないと、倍率ずれがある画像が形成されてしまう。
【０００６】
また、偏向器が安定回転していないときにレーザ光の走査時間を測定し、その測定結果に基づいて静電潜像の倍率補正を行った場合には、静電潜像は正確に倍率補正されず、倍率ずれがある画像が形成されてしまう。
【０００７】
本発明の目的は、像担持体上に形成される静電潜像を最適に倍率補正して、常に倍率ずれがない画像を得ることである。
【課題を解決するための手段】
【０００８】
請求項１記載の発明は、回転駆動する偏向器により光源から出射された光を主走査方向に偏向走査して副走査方向に回転駆動する像担持体に静電潜像を光書込みする光走査装置において、前記偏向器により偏向走査された光を検出して前記偏向器による光の走査時間を測定するための光検出器と、前記偏向器の安定回転を検知する手段と、前記偏向器の回転安定中に前記光検出器により前記走査時間を測定する手段と、測定した前記走査時間と所定の前記走査時間との時間差を求め、その時間差に基づいて前記静電潜像の主走査方向の倍率補正を行う手段と、を備えることを特徴とする。
【０００９】
請求項２記載の発明は、請求項１記載の光走査装置において、前記偏向器は、前記光源からの光を反射してそれぞれ光を走査する複数の反射面を有する多面鏡であり、前記走査時間を測定する手段は、前記偏向器の反射面毎に前記走査時間を測定し、前記静電潜像の主走査方向の倍率補正を行う手段は、前記偏向器の反射面毎に前記時間差を求める、ことを特徴とする。
【００１０】
請求項３記載の発明は、請求項１記載の光走査装置において、前記偏向器は、前記光源からの光を反射してそれぞれ光を走査する複数の反射面を有する多面鏡であり、前記走査時間を測定する手段は、前記偏向器の反射面毎に前記走査時間を測定し、前記静電潜像の主走査方向の倍率補正を行う手段は、前記偏向器の１回転毎に、測定した複数の前記走査時間からその平均値を求め、求めた前記走査時間の平均値と所定の前記走査時間との時間差を求める、ことを特徴とする。
【００１１】
請求項４記載の発明は、請求項１記載の光走査装置において、前記静電潜像の主走査方向の倍率補正を行う手段は、前記偏向器の所定の回転回数毎に、測定した複数の前記走査時間からその平均値を求め、求めた前記走査時間の平均値と前記所定の走査時間との時間差を求める、ことを特徴とする。
【００１２】
請求項５記載の発明は、電子写真方式で記録材上に画像形成を行なう画像形成装置において、静電潜像を担持する像担持体と、請求項１ないし４のいずれか一記載の光走査装置と、を備えることを特徴とする。
【発明の効果】
【００１３】
請求項１記載の発明によれば、偏向器の安定回転中に走査時間が測定され、その走査時間と理想とする所定の走査時間との時間差が求められて、その時間差に基づいて静電潜像の主走査方向の倍率補正が行われるので、像担持体上に形成される静電潜像は最適に倍率補正され、常に倍率ずれがない画像を得ることができる。
【００１４】
請求項２記載の発明によれば、精度良く静電潜像を倍率補正することができる。
【００１５】
請求項３又は４記載の発明によれば、偏向器の反射面毎のばらつきによる誤差を小さく抑えることができる。
【００１６】
請求項５記載の発明によれば、請求項１ないし４のいずれか一記載の発明と同様の効果を奏する。
【発明を実施するための最良の形態】
【００１７】
本発明を実施するための最良の一形態を図面に基づいて説明する。
【００１８】
図１は本実施の形態の画像形成装置であるデジタル複写機の概略構成を示すブロック図である。
【００１９】
図１に示すように、デジタル複写機１は、原稿の画像を読み取る画像読取装置であるスキャナ２と、スキャナ２で読み取られた画像を用紙等の記録材に形成する画像形成部であるプリンタ３とを備えている。
【００２０】
スキャナ２は、読み取った画像に対応する画像信号をＡ／Ｄ変換して、黒オフセット補正、シェーディング補正及び画素位置補正等の信号処理を行う信号処理回路４と、Ａ／Ｄ変換後の画像信号に各種画像処理を行う画像処理回路５とを備えており、それら処理後の画像信号をプリンタ３に出力する。信号処理回路４としては、ＶＰＵ（Visual Processing Unit）等が用いられ、画像処理回路５としては、ＩＰＵ（Image Processing Unit）等が用いられる。
【００２１】
プリンタ３は、スキャナ２からの画像信号（画像データ）に基づいて電子写真方式で用紙等の記録材上に画像を形成する。このプリンタ３は、感光体２１（図２参照）上に静電潜像を光書込みするための発光素子であるレーザダイオード（ＬＤ）６、このＬＤ６の制御を行うＬＤ制御部７、及びプリンタ３の全体を制御するプリンタ制御部８等を備えている。
【００２２】
さらに、デジタル複写機１は、ＣＰＵ１１、ＲＯＭ１２、ＲＡＭ１３、画像メモリ１４及びパネル操作部１５等を備えている。
【００２３】
ＣＰＵ１１は、デジタル複写機１の全体を集中的に制御し、ＲＯＭ１２はＣＰＵ１１が実行する各種制御プログラムを格納し、ＲＡＭ１３はＣＰＵ１１の作業エリアとなり各種データを一時的に格納する。画像メモリ１４はスキャナ２で読み取った画像データを記憶する。各部のデータのやりとりはシステムバス１６を介して行われ、Ｉ／Ｆ１７はシステムバス１６と画像処理回路５との間のインターフェースとなる。パネル操作部１５は、ユーザに各種メッセージを表示し、ユーザから各種の操作を受け付ける。このパネル操作部１５が表示部及び操作部として機能する。
【００２４】
ここで、スキャナ２で読み取った画像をＬＤ６により感光体２１に静電潜像として出力する場合には、ＣＰＵ１１はプリンタ制御部８にスタート信号を出力し、プリンタ制御部８はスタート信号を基準として画像処理回路５から画像データを受信し、その画像データに基づいてＬＤ制御部７によりＬＤ６を点灯させる。このとき、ＣＰＵ１１は記録材の副走査方向の位置制御も行っている。
【００２５】
図２はプリンタ３の概略構成を示すブロック図である。
【００２６】
図２に示すように、プリンタ３は、回転駆動するドラム状の感光体２１、感光体２１の表面を帯電させる帯電器（図示せず）、及び帯電した感光体２１の表面を露光走査してその表面に静電潜像を形成する光走査装置２２等を備えている。なお、感光体２１は、静電潜像を担持する像担持体である。さらに、プリンタ３は、感光体２１上の静電潜像にトナーを供給してトナー像を形成する現像器、そのトナー像を用紙等の記録材に転写させる転写器及び記録材上のトナー像を定着させる定着器（いずれも図示せず）を備えている。また、プリンタ制御部８は、ドット位置ずれ検出・制御部２３、画素クロック生成部２４、画像処理部２５及びＬＤ駆動データ生成部（レーザ駆動データ生成部）２６等を備えている。
【００２７】
光走査装置２２は、光源であるＬＤ６、コリメータレンズ３１、シリンダーレンズ３２、回転駆動する偏向器であるポリゴンミラー３３、ｆθレンズ３４、透明部材３５及び光検出器３６等から構成されている。ポリゴンミラー３３は、ＬＤ６からのレーザ光を反射してそれぞれ光を走査する複数の反射面３３ａを有する回転多面鏡である。このポリゴンミラー３３には、ポリゴンミラー３３を駆動制御するポリゴン制御部３７が接続されている。このポリゴン制御部３７は、ポリゴンミラー３３の回転が定常回転になると定常回転フラグをたてる（定常回転信号を生成する）。
【００２８】
ここで、ＬＤ６から出射されたレーザ光は、コリメータレンズ３１により平行光束となり、シリンダーレンズ３２に入射する。入射したレーザ光はシリンダーレンズ３２により副走査方向（感光体２１の回転方向）に集光されて、ポリゴンミラー３３に入射する。レーザ光はポリゴンミラー３３により感光体２１の回転軸方向に平行な主走査方向（感光体２１の回転軸方向）に偏向走査される。主走査方向に走査されたレーザ光は、ｆθレンズ３４によって走査角と走査距離とが比例するように調整され、かつ副走査方向に集光され、透明部材３５を介して感光体２１上に結像する。これにより、帯電器により帯電された感光体２１の表面が露光走査される。
【００２９】
光検出器３６は、感光体２１の表面の有効書込領域外に配置され、ポリゴンミラー３３で偏向走査され透明部材３５で反射されたレーザ光を受光して有効書込開始位置及び有効書込終了位置を検出する。この光検出器３６から出力された検出信号（先端ライン同期信号及び後端ライン同期信号）はドット位置ずれ検出・制御部２３に入力される。
【００３０】
ドット位置ずれ検出・制御部２３は、２つの光検出器３６の間でのレーザ光の走査時間を測定し、測定した走査時間と理想とする所定の走査時間とを比較して、それらのずれ量である時間差を求め、その時間差を補正する位相データを生成して画素クロック生成部２４に出力する。また、光検出器３６から出力された検出信号は、ライン同期信号として画像処理部２５にも出力される。なお、理想とする所定の走査時間は、理想的なレーザ走査が行われた場合に測定された走査時間であり、あらかじめＲＯＭ１２やＲＡＭ１３等のメモリに格納されている。
【００３１】
ドット位置ずれ検出・制御部２３は、画素クロック生成部２４が位相データ記憶回路を具備していない場合、ライン毎に位相データを画素クロック生成部２４へ出力する。一方、画素クロック生成部２４が位相データ記憶回路を具備している場合には、前もって位相データを求める等して、あらかじめ画素クロック生成部２４へ位相データを与えておくようにする。
【００３２】
また、ドット位置ずれ検出・制御部２３は、走査レンズの特性により生ずる走査ムラを補正するようなライン毎に常に同じ補正をするための位相データ（第１位相データ）だけでなく、ポリゴンミラー３３の回転ムラのようなライン毎に変化する補正にも対応するための位相データ（第２位相データ）も生成し、画素クロック生成部２４が位相データ合成回路を具備している場合には、その位相データも画素クロック生成部２４へ出力するようにする。また、光検出器３６の組を複数設けることにより、複数ライン分の位相データを同時に生成することが可能である。
【００３３】
このようなドット位置ずれ検出・制御部２３は、測定した走査時間と理想とする所定の走査時間との時間差に基づいて位相データを変更することで（位相補正）、画素クロック（ＬＤ６の点灯制御用クロック）の位相を画素クロック１周期の１／ｎ単位（ｎは２以上の整数）で主走査方向の１箇所又は複数箇所で可変して、すなわち画素クロックの位相を変えて主走査方向の倍率補正を行う。
【００３４】
画素クロック生成部２４は、ドット位置ずれ検出・制御部２３からの位相データに基づいて画素クロックを生成し、画像処理部２５とＬＤ駆動データ生成部２６とに出力する。画像処理部２５は、画素クロックを基準として画像データを生成し、その画像データをＬＤ駆動データ生成部２４に出力する。ＬＤ駆動データ生成部２６は、その画像データに基づいて画素クロックを基準としてＬＤ駆動データ（変調データ）を生成し、そのＬＤ駆動データをＬＤ制御部７に出力する。ＬＤ制御部７は、そのＬＤ駆動データに基づいてＬＤ６を駆動制御する。
【００３５】
なお、位相データに基づいてクロック位相シフトを行い、ドット位置を任意の位置に変える方法は公知であるため、その説明を省略する（特開２００３−２７９８７３公報参照）。また、レーザ光が走査される走査時間差の計測方法は、公知であるため、その説明も省略する（特開平９−５８０５３号公報等参照）。
【００３６】
このような構成において、ＣＰＵ１１がＲＯＭ１２に格納されたプログラムに基づいて実行するポリゴンミラー３３の回転開始処理及び位相補正処理（倍率補正処理）について図３ないし図５を参照して説明する。この処理により各種の手段が実行される。
【００３７】
図３はポリゴンミラー３３の回転開始処理の流れを示すフローチャートである。
【００３８】
図３に示すように、ＣＰＵ１１は、ポリゴン制御部３７を介してポリゴンミラー３３を回転させ（ステップＳ１）、ポリゴン制御部３７による定常回転フラグがたっているか否かを判断し（ステップＳ２）、定常回転フラグがたつこと、すなわちポリゴンミラー３３の回転が定常回転（安定回転）になることに待機する（ステップＳ２のＮ）。定常回転フラグがたっている、すなわちポリゴンミラー３３の回転が定常回転であると判断した場合には（ステップＳ２のＹ）、位相補正許可信号を発生させる（ステップＳ３）。
【００３９】
なお、ＣＰＵ１１は数ｍｓ間隔でポリゴンミラー３３の回転が定常回転になっているか否かをポリゴン制御部３７から確認している。ポリゴンミラー３３の回転が正常回転（定常回転）でない、すなわち異常であると判断した場合には（ステップＳ２のＮ）、例えばポリゴンミラー３３を停止させる停止命令を発生させる。このとき、位相補正許可信号は発生しなくなる。
【００４０】
図４はポリゴンミラー３３の反射面３３ａ毎に時間差を求める場合の位相補正処理の流れを示すフローチャートである。
【００４１】
図４に示すように、位相補正許可信号が発生中であるか否か及び先端ライン同期信号が発生したか否かを判断し（ステップＳ１１及びステップＳ１２）、位相補正許可信号の発生及び先端ライン同期信号の発生に待機する（ステップＳ１１のＮ及びステップＳ１２のＮ）。位相補正許可信号が発生中であり、先端ライン同期信号が発生したと判断した場合には（ステップＳ１１のＹ及びステップＳ１２のＹ）、レーザ光の走査時間の測定を開始する（ステップＳ１３）。ここで、位相補正許可信号の発生でカウンタをクリアし、レーザ光の走査時間の測定の開始でカウンタを回して走査時間を計測する。
【００４２】
次に、位相補正許可信号が発生中であるか否か及び後端ライン同期信号が発生したか否かを判断し（ステップＳ１４及びステップＳ１５）、後端ライン同期信号の発生に待機する（ステップＳ１４のＹ及びステップＳ１５のＮ）。なお、位相補正許可信号が発生中でないと判断した場合には（ステップＳ１４のＮ）、ステップＳ１１に戻る。
【００４３】
後端ライン同期信号が発生したと判断した場合には（ステップＳ１５のＹ）、レーザ光の走査時間の測定を終了する（ステップＳ１６）。ここで、レーザ光の走査時間の測定の終了でカウンタを停止させる。測定した走査時間と理想とする所定の走査時間とを比較してそれらのずれ量である時間差を求め、その時間差を補正する位相データを生成して画素クロックの位相を変え（位相補正）、静電潜像の主走査方向の倍率補正を行う（ステップＳ１７）。
【００４４】
このような処理を図５に示すようなタイミングチャートを参照して説明する。
【００４５】
図５はポリゴンミラー３３の反射面３３ａ毎に時間差を求める場合のタイミングチャートである。
【００４６】
図５に示すように、ポリゴンミラー３３が定常回転している場合には、位相補正許可信号が発生する（ハイレベル）。位相補正許可信号が発生している間に、先端ライン同期検知信号のパルス（ロウレベル）から後端ライン同期検知信号のパルス（ロウレベル）までのレーザ光の走査時間が測定される。この測定した走査時間と理想とする所定の走査時間との時間差が算出され、その時間差に基づいてドット位置ずれ検出・制御部２３により位相データが生成されて、その位相データに基づいて画素クロック生成部２４により画素クロックが生成される。さらに、その画素クロックに基づいて画像処理部２５により画像データが生成され、その画像データに基づいてＬＤ駆動データ（ＬＤ点灯信号）が生成されて、位置ずれがない画像が形成される。一方、ポリゴンミラー３３が定常回転していない場合には、位相補正許可信号が発生しないため（ロウレベル）、位相補正（倍率補正）は行われない。
【００４７】
このように本実施の形態によれば、ポリゴンミラー３３の安定回転中にレーザ光の走査時間が測定され、その走査時間と理想とする所定の走査時間とのずれ量である時間差が求められて、その時間差に基づいて静電潜像の主走査方向の倍率補正が行われるので、静電潜像は最適に倍率補正され、常に倍率ずれがない画像を得ることができる。また、ポリゴンミラー３３の反射面３３ａ毎に時間差が求められるので、精度良く静電潜像を倍率補正することができる。
【００４８】
なお、本実施の形態では、ポリゴンミラー３３の反射面３３ａ毎に時間差を求めているが、これに限るものではなく、例えば、ポリゴンミラー３３の１回転毎に、その反射面３３ａ毎に測定した複数の走査時間からその平均値を求め、求めた走査時間の平均値と理想とする所定の走査時間とを比較してそれらの時間差を求めても良く、あるいは、ポリゴンミラー３３の所定の回転回数毎に、その反射面３３ａ毎に測定した複数の走査時間からその平均値を求め、求めた走査時間の平均値と理想とする所定の走査時間とを比較してそれらの時間差を求めても良い。
【００４９】
ここで、例えば、ポリゴンミラー３３として６つの反射面３３ａを有するポリゴンミラー３３を用いて、ポリゴンミラー３３の１回転毎に時間差を求める場合について図６を参照して説明する。なお、この場合の位相補正処理は、図４に示すステップＳ１３からステップＳ１６を６回繰り返すことになる。このとき、６つの反射面３３ａ毎に測定される走査時間は、その測定毎にＲＡＭ１３等のメモリに格納される。
【００５０】
図６は６つの反射面３３ａを有するポリゴンミラー３３の１回転毎に時間差を求める場合のタイミングチャートである。
【００５１】
図６に示すように、ポリゴンミラー３３が定常回転している場合には、位相補正許可信号が発生する（ハイレベル）。位相補正許可信号が発生している間に、先端ライン同期検知信号のパルス（ロウレベル）から後端ライン同期検知信号のパルス（ロウレベル）までのレーザ光の走査時間が測定される。この測定が６つの反射面３３ａ毎に実行される。したがって、ポリゴンミラー３３が１回転すると、６つの反射面３３ａ毎の走査時間が求められ、その６つの反射面３３ａ毎の走査時間からその平均値が求められる。その平均値と理想とする所定の走査時間とのずれ量である時間差が算出され、その時間差に基づいてドット位置ずれ検出・制御部２３により位相データが生成されて、その位相データに基づいて画素クロック生成部２４により画素クロックが生成される。さらに、その画素クロックに基づいて画像処理部２５により画像データが生成され、その画像データに基づいてＬＤ駆動データ（ＬＤ点灯信号）が生成されて、位置ずれがない画像が形成される。一方、ポリゴンミラー３３が定常回転していない場合には、位相補正許可信号が発生しないため（ロウレベル）、位相補正（倍率補正）は行われない。
【００５２】
このようにして、６つの反射面３３ａを有するポリゴンミラー３３の１回転毎に、ずれ量である時間差が求められるので、ポリゴンミラー３３の反射面３３ａ毎のばらつきによる誤差を小さく抑えることができる。
【００５３】
次に、ポリゴンミラー３３の３回転毎に時間差を求める場合について図７を参照して説明する。
【００５４】
図７はポリゴンミラー３３の３回転毎に時間差を求める場合の位相補正処理の流れを示すフローチャートである。
【００５５】
図７に示すように、位相補正許可信号が発生中であるか否か及び先端ライン同期信号が発生したか否かを判断し（ステップＳ２１及びステップＳ２２）、位相補正許可信号の発生及び先端ライン同期信号の発生に待機する（ステップＳ２１のＮ及びステップＳ２２のＮ）。位相補正許可信号が発生中であり、先端ライン同期信号が発生したと判断した場合には（ステップＳ２１のＹ及びステップＳ２２のＹ）、レーザ光の走査時間の測定を開始する（ステップＳ２３）。ここで、位相補正許可信号の発生でカウンタをクリアし、レーザ光の走査時間の測定の開始でカウンタを回して走査時間を計測する。
【００５６】
次に、位相補正許可信号が発生中であるか否か及び後端ライン同期信号が発生したか否かを判断し（ステップＳ２４及びステップＳ２５）、後端ライン同期信号の発生に待機する（ステップＳ２４のＹ及びステップＳ２５のＮ）。なお、位相補正許可信号が発生中でないと判断した場合には（ステップＳ２４のＮ）、ステップＳ２１に戻る。
【００５７】
後端ライン同期信号が発生したと判断した場合には（ステップＳ２５のＹ）、レーザ光の走査時間の測定を終了する（ステップＳ２６）。ここで、レーザ光の走査時間の測定の終了でカウンタを停止させる。次に、ポリゴンミラー３３が３回転したか否か（Ｎ＝３）を判断し（ステップＳ２７）、ポリゴンミラー３３が３回転するまでレーザ光の走査時間の測定を繰り返す（ステップＳ２７のＮ）。ポリゴンミラー３３が３回転したと判断した場合には（ステップＳ２７のＹ）、それまでに測定したレーザ光の走査時間からその平均値を求め、その平均値と理想とする所定の走査時間とを比較してそれらのずれ量である時間差を求め、その時間差を補正する位相データを生成して画素クロックの位相を変え（位相補正）、静電潜像の主走査方向の倍率補正を行う（ステップＳ２８）。最後に、Ｎをクリア（Ｎ＝０）して、ステップＳ２１に戻る。
【００５８】
このようにして、ポリゴンミラー３３の３回転毎に、ずれ量である時間差が求められるので、ポリゴンミラー３３の反射面３３ａ毎のばらつきによる誤差を小さく抑えることができる。
【図面の簡単な説明】
【００５９】
【図１】本発明の実施の一形態の画像形成装置であるデジタル複写機の概略構成を示すブロック図である。
【図２】デジタル複写機が備えるプリンタの概略構成を示すブロック図である。
【図３】ポリゴンミラーの回転開始処理の流れを示すフローチャートである。
【図４】ポリゴンミラーの反射面毎に時間差を求める場合の位相補正処理の流れを示すフローチャートである。
【図５】ポリゴンミラーの反射面毎に時間差を求める場合のタイミングチャートである。
【図６】６つの反射面を有するポリゴンミラーの１回転毎に時間差を求める場合のタイミングチャートである。
【図７】ポリゴンミラーの３回転毎に時間差を求める場合の位相補正処理の流れを示すフローチャートである。
【符号の説明】
【００６０】
１        画像形成装置（デジタル複写機）
６        光源（ＬＤ）
２１      感光体
２２      光走査装置
３３      偏向器（ポリゴンミラー）
３３ａ    反射面
３６      光検出器
【図１】
2006123181.tif 000003
【図２】
2006123181.tif 000004
【図３】
2006123181.tif 000005
【図４】
2006123181.tif 000006
【図５】
2006123181.tif 000007
【図６】
2006123181.tif 000008
【図７】
2006123181.tif 000009